(57)【要約】【課題】画面サイズの大きな薄型ＴＶであっても、地震などの大きな揺れが発生したときに、薄型ＴＶの転倒を防止して保護する機能を有する薄型ＴＶ用スタンドを提供する。【解決手段】薄型ＴＶ２を収納可能な本体ケース１と、薄型ＴＶを視聴位置と収納位置とに昇降移動する昇降手段３と、揺れを感知する加速度センサ４と、該加速度センサからの信号を受信して昇降手段３を制御する制御部５とを備え、加速度センサ４が感知した揺れが予め設定された所定の揺れ以上の大きさと制御部５が判定したときに、昇降手段３を駆動して本体ケース内に収納する構成の薄型ＴＶ用スタンドＳＴとした。【選択図】図１
2010199672.tif 000002
【特許請求の範囲】
【請求項１】
薄型ＴＶをその上部に設ける開口部から出し入れして視聴位置に立設すると共にその内部に収納可能な本体ケースと、薄型ＴＶを視聴位置と収納位置とに昇降移動する昇降手段と、揺れを感知する加速度センサと、該加速度センサからの信号を受信して前記昇降手段を制御する制御部とを備え、
前記加速度センサが感知した揺れが予め設定された所定の揺れ以上の大きさと前記制御部が判定したときに、前記昇降手段を駆動して前記本体ケース内に薄型ＴＶを収納する構成としたことを特徴とする薄型ＴＶ用スタンド。
【請求項２】
前記本体ケースが、堅固に構成されたフレーム枠と該フレーム枠をカバーすると共に前記開口部を有する外装カバーを備え、前記昇降手段を前記フレーム枠に装着したことを特徴とする請求項１に記載の薄型ＴＶ用スタンド。
【請求項３】
前記昇降手段が、上下方向に周回する周回ベルトを正逆転して昇降操作する装置であって、前記フレーム枠に上下一対のシャフトを並行して設け、下シャフトに駆動ローラを回転自在に取り付け、上シャフトに従動ローラを回転自在に取り付け、前記周回ベルトをこれらのローラに巻回し、該周回ベルトに取付部材を介して薄型ＴＶを装着して、前記駆動ローラを回転駆動する駆動モータを正逆転して昇降操作することを特徴とする請求項２に記載の薄型ＴＶ用スタンド。
【請求項４】
前記取付部材の位置を感知して、前記取付部材に装着された薄型ＴＶの視聴位置となる上昇端と、収納位置となる下降端とを規定することを特徴とする請求項３に記載の薄型ＴＶ用スタンド。
【請求項５】
前記周回ベルトが幅広の歯付きベルトであり、前記駆動ローラと前記従動ローラが歯付きローラであることを特徴とする請求項３または４に記載の薄型ＴＶ用スタンド。
【請求項６】
前記外装カバーに操作スイッチを備える操作部を設け、前記操作スイッチを介して昇降操作可能な構成としたことを特徴とする請求項２から５のいずれかに記載の薄型ＴＶ用スタンド。
【請求項７】
前記操作部に、前記制御部に設定する所定の揺れの大きさを変更可能とする閾値設定ボタンを設けたことを特徴とする請求項６に記載の薄型ＴＶ用スタンド。
【請求項８】
前記操作部に、前記昇降手段の昇降速度を変更可能とする昇降速度設定ボタンを設けたことを特徴とする請求項６または７に記載の薄型ＴＶ用スタンド。
【発明の詳細な説明】
【技術分野】
【０００１】
本発明は、液晶ＴＶなどの薄型ＴＶ用スタンドに関する。
【背景技術】
【０００２】
最近、液晶ＴＶやプラズマＴＶなどの薄型ＴＶが普及してきている。また、画面サイズの大型化が進んでおり、これらの薄型ＴＶを室内に設置するために、薄型ＴＶを直立姿勢に保持する専用スタンドが提供されている。
【０００３】
しかし、画面サイズが大きな薄型ＴＶであれば、揺れや衝撃に対して転倒しやすい構成となり、地震などにより大きな揺れが発生したときに転倒してしまう虞が生じる。特に日本のような地震国では、頻繁に地震が発生するので、薄型ＴＶを、ただ直立姿勢に保持するだけの専用スタンドでは十分安全とは言えない。
【０００４】
そのために、液晶ＴＶをフレームベースに固定して、このフレームベースをケース内部と外部とに昇降自在とし、液晶ＴＶを視聴しないときにはケースに収納するとした液晶テレビ収納ケースが既に提案されている（例えば、特許文献１参照）。
【先行技術文献】
【特許文献】
【０００５】
【特許文献１】実用新案登録第３１２１９１４号公報
【発明の概要】
【発明が解決しようとする課題】
【０００６】
しかし、特許文献１に記載された収納ケースは、スイッチ操作によって液晶ＴＶを昇降するものであって、揺れを感知して収納するものではないので、液晶ＴＶを視聴中に地震が発生した際には、対応が遅れるという問題を生じる。
【０００７】
また、ＴＶは、スイッチを入れてすぐに見たいときがあり、さらに、室内に設置するＴＶは、室内のインテリアの一部であるので、ＴＶを見ないときにも、室内でその姿が見える状態に設置しておくことが好ましい。
【０００８】
しかし、薄型ＴＶは転倒しやすい構成であるので、地震などにより大きな揺れが発生したときには、転倒を防止する構成とすることが好ましい。そのために、薄型ＴＶが倒れる虞が生じる程度の大きな揺れが発生したときに、スタンドの上に直立している薄型ＴＶを保護する機能を備える専用スタンドの開発が望まれる。
【０００９】
本発明は、上記問題点に鑑み、画面サイズの大きな薄型ＴＶであっても、地震などによりの大きな揺れが発生したときに、薄型ＴＶの転倒を防止して保護する機能を有する薄型ＴＶ用スタンドを提供することを目的とする。
【課題を解決するための手段】
【００１０】
上記目的を達成するために本発明は、薄型ＴＶをその上部に設ける開口部から出し入れして視聴位置に立設すると共にその内部に収納可能な本体ケースと、薄型ＴＶを視聴位置と収納位置とに昇降移動する昇降手段と、揺れを感知する加速度センサと、該加速度センサからの信号を受信して前記昇降手段を制御する制御部とを備え、前記加速度センサが感知した揺れが予め設定された所定の揺れ以上の大きさと前記制御部が判定したときに、前記昇降手段を駆動して前記本体ケース内に薄型ＴＶを収納する構成の薄型ＴＶ用スタンドとしたことを特徴としている。
【００１１】
この構成によると、地震などにより大きな揺れが発生したときに、直ちに薄型ＴＶを本体ケース内に収納することができ、薄型ＴＶの転倒を防止して保護することが可能な薄型ＴＶ用スタンドとなる。
【００１２】
また本発明は、上記構成の薄型ＴＶ用スタンドにおいて、前記本体ケースが、堅固に構成されたフレーム枠と該フレーム枠をカバーすると共に前記開口部を有する外装カバーを備え、前記昇降手段を前記フレーム枠に装着したことを特徴としている。この構成によると、薄型ＴＶを昇降手段を介して堅固に支持可能であり、本体ケース内に収納した薄型ＴＶを確実に保護可能な薄型ＴＶ用スタンドとなる。
【００１３】
また本発明は、上記構成の薄型ＴＶ用スタンドにおいて、前記昇降手段が、上下方向に周回する周回ベルトを正逆転して昇降操作する装置であって、前記フレーム枠に上下一対のシャフトを並行して設け、下シャフトに駆動ローラを回転自在に取り付け、上シャフトに従動ローラを回転自在に取り付け、前記周回ベルトをこれらのローラに巻回し、該周回ベルトに取付部材を介して薄型ＴＶを装着して、前記駆動ローラを回転駆動する駆動モータを正逆転して昇降操作することを特徴としている。この構成によると、駆動ローラを支持する下シャフトと従動ローラを支持する上シャフトが堅固なフレーム枠に支持されるので、周回ベルトに装着する薄型ＴＶを安定して昇降させることができる。
【００１４】
また本発明は、上記構成の薄型ＴＶ用スタンドにおいて、前記取付部材の位置を感知して、前記取付部材に装着された薄型ＴＶの視聴位置となる上昇端と、収納位置となる下降端とを規定することを特徴としている。この構成によると、装着する薄型ＴＶのタイプやサイズに拘らずに、視聴位置と収納位置とに安定して移動することができる。
【００１５】
また本発明は、上記構成の薄型ＴＶ用スタンドにおいて、前記周回ベルトが幅広の歯付きベルトであり、前記駆動ローラと前記従動ローラが歯付きローラであることを特徴としている。この構成によると、周回ベルトのベルト強度が高く耐荷重性が大きくなって、比較的大型の薄型ＴＶも昇降自在に装着することができる。
【００１６】
また本発明は、上記構成の薄型ＴＶ用スタンドにおいて、前記外装カバーに操作スイッチを備える操作部を設け、前記操作スイッチを介して昇降操作可能な構成としたことを特徴としている。この構成によると、手動操作でも昇降自在となるので、地震発生時以外でも任意にスタンド内に収納して保護可能となる。
【００１７】
また本発明は、上記構成の薄型ＴＶ用スタンドにおいて、前記操作部に、前記制御部に設定する所定の揺れの大きさを変更可能とする閾値設定ボタンを設けたことを特徴としている。この構成によると、薄型ＴＶのタイプやサイズに応じて、また、ＴＶ所有者や薄型ＴＶを設置する周囲の環境に応じて、スタンド内に収納する揺れの大きさを変更できるので、使い勝手のよい薄型ＴＶ用スタンドとなる。
【００１８】
また本発明は、上記構成の薄型ＴＶ用スタンドにおいて、前記操作部に、前記昇降手段の昇降速度を変更可能とする昇降速度設定ボタンを設けたことを特徴としている。この構成によると、設置する薄型ＴＶのタイプやサイズによって最適な昇降速度に設定可能となり、種々のタイプのＴＶに対応可能な薄型ＴＶ用スタンドとなる。
【発明の効果】
【００１９】
本発明によれば、薄型ＴＶを収納可能な本体ケースと、薄型ＴＶを視聴位置と収納位置とに昇降移動する昇降手段と、揺れを感知する加速度センサと、該加速度センサからの信号を受信して前記昇降手段を制御する制御部とを備え、前記加速度センサが感知した揺れが予め設定された所定の揺れ以上の大きさと前記制御部が判定したときに、前記昇降手段を駆動して本体ケース内に収納する構成としたので、地震などにより大きな揺れが発生したときに、直ちに薄型ＴＶを本体ケース内に収納することができ、薄型ＴＶの転倒を防止して保護する機能を有する薄型ＴＶ用スタンドを得ることができる。
【図面の簡単な説明】
【００２０】
【図１】本発明に係る薄型ＴＶ用スタンドの一例を示す概略外観図である。
【図２】本発明に係る薄型ＴＶ用スタンドの要部を示す斜視図であって、（ａ）に本体ケースのフレーム構成を示し、（ｂ）に外装カバーを示す。
【図３】本発明に係る薄型ＴＶ用スタンドが備える昇降装置の概略説明図であって、（ａ）に全体構成を示し、（ｂ）に側面図を示す。
【発明を実施するための形態】
【００２１】
以下に本発明の実施形態を図面を参照して説明する。また、同一構成部材については同一の符号を用い、詳細な説明は適宜省略する。
【００２２】
図１に示す本実施形態の薄型ＴＶ用スタンドＳＴは、薄型ＴＶ２を収納可能な本体ケース１と、薄型ＴＶ２を昇降する昇降手段３とを備え、本体ケース１の上部に設ける開口部２１から薄型ＴＶ２を出し入れして、視聴位置と収納位置とに昇降移動するスタンドである。
【００２３】
また、本体ケース１に揺れを感知する加速度センサ４と、該加速度センサ４からの信号を受信して揺れの大きさを判定して昇降手段３を制御する制御部５を設け、該制御部５が予め設定される所定以上の揺れと判定したときに、昇降手段３を駆動して視聴位置に立設している薄型ＴＶ２を本体ケース１内に収納する構成としている。
【００２４】
そのために、地震などにより大きな揺れが発生したときに、加速度センサ４が感知した揺れの大きさが予め設定される所定以上の揺れと判定されたときに薄型ＴＶ２を本体ケース１内に収納するので、薄型ＴＶ２の転倒を防止して保護することができる。
【００２５】
本体ケース１は、図２（ａ）に示すフレーム枠１０と、図２（ｂ）に示す外装カバー２０とを備えている。フレーム枠１０は、例えば金属製の型鋼を枠状に接合したフレームであって堅固な構成とされている。また、フレーム枠１０に脚部１１や底板（不図示）を設けることができる。外装カバー２０は、このフレーム枠１０をカバーする外装材であって樹脂板や樹脂成形品を用いることができる。また、開口部２１はこの外装カバー２０の上面部に形成されている。
【００２６】
また、昇降手段３は、堅固な構成のフレーム枠１０を利用して装着するようにしている。この構成であれば、フレーム枠１０に固定される昇降手段３を介して薄型ＴＶ２を堅固に支持可能となる。また、堅固な構成のフレーム枠１０内に薄型ＴＶ２を収納するので、薄型ＴＶ２を確実に保護可能な薄型ＴＶ用スタンドとなる。
【００２７】
昇降手段３は、例えば上下にスライドする往復動装置や、上下方向に周回する周回装置を正逆転させて用いることができる。本実施形態では、薄型ＴＶ２が比較的軽量であるために、駆動ローラと従動ローラとを上下に並行に配置して、このローラ間に周回ベルトを巻回し、駆動ローラを正逆転させて、周回ベルトに装着する薄型ＴＶ２を上下に移動する構成としている。
【００２８】
また、駆動ローラと従動ローラとをフレーム枠１０に装着するために、フレーム枠１０に取り付けるバー１２（１２Ａ、１２Ｂ）に下シャフト３２を取り付け、フレーム枠１０に取り付けるバー１３（１３Ａ、１３Ｂ）に上シャフト３５を取り付け、これらの上下に並行して設けられる一対のシャフトに、駆動ローラおよび従動ローラをそれぞれ回転自在に装着する構成としている。
【００２９】
この昇降手段３の具体的な構成について図３を用いて説明する。
【００３０】
図３（ａ）に示すように、バー１２に下シャフト３２を取り付け、この下シャフト３２に駆動ローラ３３を回転自在に装着している。また、バー１３に上シャフト３５を取り付け、この上シャフト３５に従動ローラ３６を回転自在に装着し、駆動ローラ３３と従動ローラ３６を巻回する周回ベルト３４を装着している。また、駆動ローラ３３を回転駆動する駆動モータ３１と制御装置５、および、加速度センサ４を備え、該加速度センサ４が感知する揺れの大きさにより制御装置５を介して駆動モータ３１の駆動を制御している。制御装置５は各部へ所要の電力を供給する電源供給部も備えており、家庭用電源から直接入力する電力、もしくは、ＴＶ用電源から入力する電力を用いることができる。さらに、周回ベルト３４に取付部材３７を介して薄型ＴＶ２を装着して、駆動モータ３１を正逆転して薄型ＴＶ２を昇降する構成としている。
【００３１】
図３（ｂ）に示すように取付部材３７は、薄型ＴＶ２を周回ベルト３４に固定する部材であって、ベルト固定部３７ａとＴＶ固定部とを有する部材（例えば板金製）を用いることができる。また、ＴＶ固定部として、垂直方向の平面状ベルト固定部から水平方向に屈曲して薄型ＴＶ２の底面を支持する水平支持部３７ｂと、ベルト固定部と同一平面となる薄型ＴＶ２の裏面を支持する垂直支持部３７ｃとのいずれか一方の支持部、もしくはこれら両方の支持部を同時に用いることができる。
【００３２】
バー１２に下シャフト３２を取り付ける方法、バー１３に上シャフト３５を取り付ける方法は、螺子固定式でも、嵌め込み式でもよく特に限定されない。また、それぞれのシャフトにローラを回転自在に装着するには、ベアリングなどの回転補助部材を用いて装着すればよい。また、駆動モータ３１を用いて駆動ローラ３３を回転駆動する方法も適宜選択可能であって、図中の３１Ａに示すギヤ駆動を用いた駆動系や直接駆動系３１Ｂなどの公知の駆動方法から適当な方法を選択することができる。
【００３３】
上記のような構成としているので、駆動ローラ３３を支持する下シャフト３２と従動ローラ３６を支持する上シャフト３５が堅固な構成のフレーム枠１０に支持される構成となり、周回ベルト３４に装着する薄型ＴＶ２を安定して昇降させることができる。
【００３４】
この際、周回ベルト３４は、図３（ｂ）に示すように幅広の歯付きベルトが好ましい。これは幅広の歯付きベルトであれば、ベルト強度が高く耐荷重性が大きいからである。そのために、駆動ローラ３３と従動ローラ３６も歯付きローラとしている。この構成であれば、周回ベルト３４の耐荷重性が大きくなって、比較的大型の薄型ＴＶも昇降自在に装着することができる。
【００３５】
また、昇降移動する薄型ＴＶ２の上昇端と下降端とは予め定めておくことが好ましい。これは、上昇端が図中の実線に示す視聴位置２Ａとなって、下降端が想像線に示す収納位置２Ｂとなるからである。また、この上昇端と下降端は、薄型ＴＶ２の所定部位を検知して感知することも可能であるが、本実施形態においては、取付部材３７の位置から、上昇端と下降端を規定する構成としている。
【００３６】
取付部材３７の位置により上昇端と下降端を規定するには、取付部材３７の所定部位の上昇位置と下降位置にそれぞれリミットスイッチ（不図示）やセンサなどを設けておき、それぞれの位置に到達したことを検知する方法を用いることができる。
【００３７】
このように、取付部材３７の位置により薄型ＴＶ２の上昇端と下降端を規定する構成であれば、設置する薄型ＴＶ２のタイプやサイズに拘らずに、薄型ＴＶ２を視聴位置と収納位置とに安定して移動することができるので、種々のタイプのＴＶに対応可能となって好ましい。さらに、薄型ＴＶ２を視聴位置まで上昇したときに、取付部材３７が開口部２１を塞ぐような形状として、通常の視聴状態では、開口部２１から本体ケース１内にゴミや異物が侵入しない構成とすることも可能である。
【００３８】
また、地震でない時に薄型ＴＶ２をスタンド内に収納したい場合も想定されるので、昇降操作のための操作スイッチを設けることが好ましい。そのために、本実施形態では、外装カバー２０に操作スイッチとなる手動ボタンを有する操作部６（図１参照）を設ける構成としている。この構成であれば、手動操作でも昇降自在となるので、所望のタイミングで任意にスタンド内に収納して保護可能となって使い勝手のよい薄型ＴＶ用スタンドとなる。
【００３９】
また、薄型ＴＶをスタンド内に収納開始する揺れの大きさは変更可能であることが好ましい。さらに、昇降速度も変更可能であることが好ましい。これは、設置する薄型ＴＶのタイプやサイズによって倒れやすさも異なり、適した昇降速度も異なる場合があるからである。
【００４０】
薄型ＴＶをスタンド内に収納開始する揺れの大きさが変更可能であれば、薄型ＴＶのタイプやサイズに応じて、また、ＴＶ所有者や薄型ＴＶを設置する周囲の環境に応じて、スタンド内に収納する揺れの大きさを変更できるので、使い勝手のよい薄型ＴＶ用スタンドとなる。さらに、昇降速度が変更可能であれば、設置する薄型ＴＶのタイプやサイズによって最適な昇降速度に設定可能となり、種々のタイプのＴＶに対応可能な薄型ＴＶ用スタンドとなる。
【００４１】
昇降速度を変更可能とするには、駆動モータ３１として可変速モータを採用し、操作部６に昇降速度を設定するボタンを設けることで実現可能となる。
【００４２】
上記したように本実施形態に係る薄型ＴＶ用スタンドＳＴは、本体ケース１の内部に装着している加速度センサ４が揺れを感知すると、その揺れの大きさに応じた信号を制御部５に伝達し、制御部５がこの揺れの大きさが予め規定された所定の揺れ（閾値）よりも大きいと判定したときに、薄型ＴＶ２を降下させる方向に駆動モータ３１を駆動し、薄型ＴＶ２を本体ケース１の内部に収納する。
【００４３】
揺れが収まると、周囲の安全を確認した跡で操作部６に設ける操作スイッチを操作して、収納されている薄型ＴＶ２を視聴位置に上昇することができる。
【００４４】
また、操作部６には、閾値となる所定の揺れの大きさを変更して設定するために、閾値設定ボタンや、昇降速度を変更して設定するための昇降速度設定ボタンなどを仕様に応じて設けることができる。
【００４５】
このように、薄型ＴＶ２を本体ケース１に収納する揺れの大きさを予め規定しているので、子供のいたずらなどで軽くゆすっただけでは、駆動しない構成とすることができ、また、大きな揺れが発生したときには、自動的に本体ケース内に収納開始するので、安心して薄型ＴＶ２を設置することができる。
【００４６】
特に、タワーマンションなどの高層住宅内に薄型ＴＶ２を設置する際には、地震による揺れも大きくなるので、揺れや衝撃に対して転倒しやすい薄型ＴＶ２にとって、特に有効な薄型ＴＶ用スタンドＳＴとなる。
【００４７】
上記したように、本発明に係る薄型ＴＶ用スタンドによれば、薄型ＴＶを収納可能な本体ケースと、薄型ＴＶを視聴位置と収納位置とに昇降移動する昇降手段と、揺れを感知する加速度センサと、該加速度センサからの信号を受信して前記昇降手段を制御する制御部とを備え、前記加速度センサが感知した揺れが予め設定された所定の揺れ以上の大きさと前記制御部が判定したときに、前記昇降手段を駆動して本体ケース内に収納する構成としたので、地震などの大きな揺れが発生したときに、直ちに薄型ＴＶを本体ケース内に収納することができ、薄型ＴＶの転倒を防止して保護する機能を有する薄型ＴＶ用スタンドとなる。
【００４８】
また、本体ケースが、堅固に構成されたフレーム枠を備え、昇降手段を堅固なフレーム枠に装着する構成としているので、薄型ＴＶを堅固に支持可能であり、本体ケース内に収納した薄型ＴＶを確実に保護可能な薄型ＴＶ用スタンドとなる。そのために、本体ケース内に収納した後、スタンドが転倒しても、薄型ＴＶの周囲を堅固なフレーム枠で覆っているので、損傷せずに転倒時の被害を抑制することができる。
【００４９】
さらに、薄型ＴＶをスタンド内に収納開始する揺れの大きさを変更可能とすることで、薄型ＴＶのタイプやサイズに応じて、また、ＴＶ所有者や薄型ＴＶを設置する周囲の環境に応じて、スタンド内に収納する揺れの大きさを変更でき、使い勝手のよい薄型ＴＶ用スタンドとなる。
【産業上の利用可能性】
【００５０】
そのために、本発明に係る薄型ＴＶ用スタンドは、地震発生時に揺れが大きくなる高層住宅に設置する薄型ＴＶ用スタンドに好適に適用することができる。また、地震が多く発生する日本のような地震国の薄型ＴＶ用スタンドとして好適に適用することができる。
【符号の説明】
【００５１】
１    本体ケース
２    薄型ＴＶ
３    昇降手段
４    加速度センサ
５    制御部
６    操作部
１０    フレーム枠
２０    外装カバー
２１    開口部
３１    駆動モータ
３３    駆動ローラ
３４    周回ベルト（歯付きベルト）
３６    従動ローラ
３７    取付部材
ＳＴ    薄型ＴＶ用スタンド
【図１】
2010199672.tif 000003
【図２】
2010199672.tif 000004
【図３】
2010199672.tif 000005